(57)【要約】【課題】  酸素富化となった空気の吹き出し音を低減するとともに装置からの振動が浴室に伝わるのを防止して、浴室内騒音を低減する。【解決手段】  真空ポンプ１、ファン２、これらを制御する制御部３、及び、気体分離複合膜４をケース５に収納して浴室天井６の上に設置される浴室用酸素供給装置である。ケース５内の真空ポンプ１の気体出力部７と装置吹き出し口８との間に第１の消音部９を設けている。【選択図】図１
2008237600.tif 000002
【特許請求の範囲】
【請求項１】
真空ポンプ、ファン、これらを制御する制御部、及び、気体分離複合膜をケースに収納して浴室天井の上に設置される浴室用酸素供給装置であって、ケース内の真空ポンプの気体出力部と、酸素富化となった空気を浴室に向けて吹き出す装置吹き出し口との間に第１の消音部を設けていることを特徴とする浴室用酸素供給装置。
【請求項２】
ジャバラ状にした上記第１の消音部と上記装置吹き出し口との間に、樹脂成形体の第２の消音部を設けていることを特徴とする請求項１記載の浴室用酸素供給装置。
【請求項３】
樹脂成形体とした上記第２の消音部をケースの外側面にほぼ上下方向に向けて取り付け、装置吹き出し口側をほぼ下向きにしていることを特徴とする請求項２記載の浴室用酸素供給装置。
【請求項４】
上記第２の消音部に向かうケース側の気体導出部に屈曲自在部を設けていることを特徴とする請求項３記載の浴室用酸素供給装置。
【請求項５】
上記ケースと浴室天井との間にゴム弾性を備えたクッションを介挿し、クッションの外側面に開口させて複数の凹部を形成していることを特徴とする請求項１〜４のいずれかの項に記載の浴室用酸素供給装置。
【請求項６】
上記クッションは、ケース側を残し浴室天井側が開口する筒構造にし、ケースの底面に接触するクッションの上面部の中央に通孔を形成してこの通孔の回りに上顎部を残し、上顎部の下面に孔あき座金を配設し、孔あき座金、通孔に挿通した固定具をケースに固定していることを特徴とする請求項５記載の浴室用酸素供給装置。
【請求項７】
上記ケースの下面と浴室天井との間にゴム弾性を備えたクッションを介挿し、クッションの下部に尖頭形状になる尖頭部を形成していることを特徴とする請求項１〜４のいずれかの項に記載の浴室用酸素供給装置。
【発明の詳細な説明】
【技術分野】
【０００１】
本発明は、浴室に酸素富化となった空気を供給する浴室用酸素供給装置に関し、詳しくは、酸素富化となった空気の吹き出し音を低減するとともに装置からの振動が浴室に伝わるのを防止して、浴室内騒音を低減しようとする技術に係るものである。
【背景技術】
【０００２】
一般に、浴室用酸素供給装置は、真空ポンプ、ファン、これらを制御する制御部、及び、気体分離複合膜をケースに収納して、生成した酸素富化となった空気を浴室に供給して疲労回復を図るものである。
【０００３】
従来の浴室用酸素供給装置Ａ’は、図１０に示すように、浴室天井６の上に設置され、浴室用酸素供給装置Ａ’で生成された酸素富化となった空気を、浴室天井６からダクトを通して壁パネルに設けた吹き出し口８’から浴室内に吹き出すものである。（例えば、特許文献１参照）
上記特許文献１に示される従来例にあっては、浴室用酸素供給装置Ａ’の振動が浴室に伝わるとともに酸素富化となった空気を吹き出す吹き出し音が浴室内に伝わり、浴室内騒音が高くなるという問題があった。
【特許文献１】特開平８−１８９２１１号公報
【発明の開示】
【発明が解決しようとする課題】
【０００４】
本発明はこのような問題を解決すべくなされたものであり、生成されて酸素富化となった空気の吹き出し音を低減するとともに装置からの振動が浴室に伝わるのを防止して、浴室内騒音を大幅に低減することができる浴室用酸素供給装置を提供することを課題とするものである。
【課題を解決するための手段】
【０００５】
請求項１に係る発明においては、真空ポンプ１、ファン２、これらを制御する制御部３、及び、気体分離複合膜４をケース５に収納して浴室天井６の上に設置される浴室用酸素供給装置であって、ケース５内の真空ポンプ１の気体出力部７と酸素富化となった空気を浴室１９に向けて吹き出す装置吹き出し口８との間に第１の消音部９を設けていることを特徴とするものである。
このような構成によれば、真空ポンプ１の気体出力部７と浴室１９へ向けて吹き出す装置吹き出し口８との間に設けた第１の消音部９によって、真空ポンプ１の気体出力部７からの気体の噴出音を消音することができ、装置吹き出し口８から浴室内に伝わる吹き出し音を低減することができる。
請求項２に係る発明においては、ジャバラ状にした上記第１の消音部９と上記装置吹き出し口８との間に、樹脂成形体にて形成した第２の消音部１０を設けていることを特徴とするものである。
このような構成によれば、ジャバラ状にした第１の消音部９にて真空ポンプ１の気体出力部７からの気体の噴出音を管路を利用して効果的に消音することができながら、第１の消音部９はジャバラ状となっていて、管路の変更が容易となり、かつ、樹脂成形体にて形成した第２の消音部１０との協同によって十分に消音することができ、装置吹き出し口８から浴室内に伝わる吹き出し音を、一層、低減することができる。
請求項３に係る発明においては、樹脂成形体にて形成した上記第２の消音部１０をケース５の外側面にほぼ上下方向に向けて取り付け、装置吹き出し口８側をほぼ下向きにしていることを特徴とするものである。
このような構成によれば、樹脂成形体にて形成した第２の消音部１０をケース５の外側面にほぼ上下方向に向けて取り付け、装置吹き出し口８側を下向きにすることで、浴室天井６の上での作業がしやすくなる。
請求項４に係る発明においては、上記第２の消音部１０に向かうケース５側の気体導出部に屈曲自在部１１を設けていることを特徴とするものである。
【０００６】
このような構成によれば、ケース５側に設けている屈曲自在部１１によって、配管方向を自在に変更することができ、浴室天井６上での作業が、一層、しやすくなる。
請求項５に係る発明においては、上記ケース５と浴室天井６との間にゴム弾性を備えたクッション１２を介挿し、クッション１２の外側面に開口させて複数の凹部１３…を形成していることを特徴とするものである。
このような構成によれば、クッション１２の外側面に開口させて形成した複数の凹部１３…によって、ケース５の振動を吸収して減衰させることができ、浴室天井６の振動を抑えて浴室内騒音を低減することができる。
請求項６に係る発明においては、上記クッション１２は、ケース５側を残し浴室天井６側が開口する筒構造にし、ケース５の底面に接触するクッション１２の上面部の中央に通孔１４を形成してこの通孔１４の回りに上顎部１５を残し、上顎部１５の下面に孔あき座金１６を配設し、孔あき座金１６、通孔１４に挿通した固定具１７をケース５に固定していることを特徴とするものである。
このような構成によれば、クッション１２の上顎部１５の下面に孔あき座金１６を配設し、孔あき座金１６、通孔１４に挿通した固定具１７をケース５に固定することで、クッション１２をケース５に取り付けやすくなるとともに振動吸収効率を高めることができる。
請求項７に係る発明においては、上記ケース５の下面と浴室天井６との間にゴム弾性を備えたクッション１２を介挿し、クッション１２の下部に尖頭形状になる尖頭部１８を形成していることを特徴とするものである。
【０００７】
このような構成によれば、クッション１２の下部の尖頭部１８によって、浴室天井６への振動の伝播を抑制でき、浴室内騒音を低減することができる。
【発明の効果】
【０００８】
要するに本発明は、生成されて酸素富化となった空気の吹き出し音を低減するとともに装置からの振動が浴室に伝わるのを防止して、浴室内騒音を大幅に低減することができる。
【発明を実施するための最良の形態】
【０００９】
以下、本発明を添付図面に示す実施の一形態に基いて説明する。図１は浴室用酸素供給装置の概略平面図である。図２は設置状態を示す説明図である。図３は概略側面図である。
【００１０】
例えば、ユニットバスルームにて構成された浴室１９の底部に防水床パンを敷設し、防水床パンの片側に浴槽を設置して他側を洗い場としている。浴室天井６の上には浴室用酸素供給装置Ａを設置している。浴室用酸素供給装置Ａは取り入れた空気を酸素富化空気に生成して、装置吹き出し口８からホース２８を介して浴室天井６に設置している吹き出し口部材２６より浴室１９内に吹き出し、入浴者の疲労回復を図るようにしている。
本発明は、酸素富化となった空気の吹き出し音を低減するとともに装置からの振動が浴室１９に伝わるのを防止して、浴室内騒音を低減しようとするものである。以下、詳述する。
図１及び図３に示すように、浴室用酸素供給装置Ａは、ケース５の空気取り入れ口２０に対向して気体分離複合膜４を配設し、気体分離複合膜４の下流側に真空ポンプ１を配設し、気体分離複合膜４を真空ポンプ１の吸込口２１に接続し、気体分離複合膜４に導入された空気を酸素富化空気に生成し、生成された酸素富化空気を真空ポンプ１に吸入するようにしている。生成された酸素富化空気を真空ポンプ１の気体出力部７、出力管路２２よりケース５外に導出し、管路をへて装置吹き出し口８よりホース２８を介して浴室天井６に形成した吹き出し口部材２６をへて浴室１９に吹き出すことができるようにしている。ケース５には排気口２３に対向させてファン２を配設してあり、ファン２の稼働による排気によって、空気取り入れ口２０から外部の空気を気体分離複合膜４に向けて導入することができるようにしている。真空ポンプ１の稼働によっても外気の導入をおこなうようにしている。ケース５内には制御部３を設けてあり、制御信号により真空ポンプ１やファン２を駆動するようにしている。
上記真空ポンプ１の気体出力部７にはジャバラ状とした第１の消音部９を接続してジャバラ状となった第１の消音部９の内部管路によって気体出力部７からの空気の噴出音を消音することがきるようにしている。ジャバラ状となった第１の消音部９によって管路を約１８０度変更して出力管路２２に接続している。ジャバラ状となった第１の消音部９はゴム弾性を備えたゴム、合成樹脂の成形品を採用することができる。
上記第１の消音部９に接続している出力管路２２はケース５を貫通し、ケース５の側壁に取り付けている樹脂成形品の屈曲自在部１１に接続している。屈曲自在部１１は、例えば、図４に示すように、ケース５の側壁に固定される固定筒体３１と、固定筒体３１に形成した球体受部３２に回動自在に受けられる略球状の回動部３３を先端に備えた出力管２４とから構成されるものが考えられるが、他の構成のものであってもよい。
図３に示すように、上記屈曲自在部１１の出力管２４に樹脂成形品の第２の消音部１０を接続している。樹脂成形品の第２の消音部１０はほぼ上下方向に向けて、具体的には、約４５度傾けてあり、装置吹き出し口８側の吹き出し管路２５をほぼ下向き、具体的には、約４５度傾けている。樹脂成形品の第２の消音部１０は、例えば、図５に示すように、通路断面積を異ならせる絞り経路を繰り返し形成する構成のものであり、この場合、第２の消音部１０の入力部３４の通路断面積に比べて出力部３５の通路断面積を若干大にしている。このような第２の消音部１０の形態は、上記の構成の他に、内部に多数の孔をあけた障壁、内部に蛇行通路を形成する障壁等を備える周知のマフラー構造を採用することができる。樹脂成形品の第２の消音部１０は取付帯等にてケース５の側壁に取り付けられる。
【００１１】
このような構成によれば、真空ポンプ１の気体出力部７と浴室１９への装置吹き出し口８との間に設けた第１の消音部９によって、真空ポンプ１の気体出力部７からの気体の噴出音を消音することができ、装置吹き出し口８から浴室内に伝わる吹き出し音を低減することができる。また、ジャバラ状にした第１の消音部９にて真空ポンプ１の気体出力部７からの気体の噴出音を管路を利用して効果的に消音することができながら、第１の消音部９はジャバラ状となっていて、管路の変更が容易となり、かつ、樹脂成形体にて形成した第２の消音部１０との協同によって十分に消音することができ、装置吹き出し口８から浴室内に伝わる酸素富化となった空気の吹き出し音を、一層、低減することができる。また、樹脂成形体にて形成した第２の消音部１０をケース５の外側面にほぼ上下方向に向けて取り付け、装置吹き出し口８側を下向きにすることで、浴室天井６の上での作業がしやすくなる。また、ケース５側に設けている屈曲自在部１１によって、配管方向を自在に変更することができ、浴室天井６での作業が、一層、しやすくなる。
図３、図６に示すように、上記ケース５と浴室天井６との間にゴム弾性を備えたクッション１２を介挿してあり、上記クッション１２は、ケース５側を残し浴室天井６側（下側）が開口する筒構造にしている。ケース５の底面に接触するクッション１２の上面部の中央に通孔１４を形成している。通孔１４の回りに上顎部１５を残している。クッション１２の外側面に開口させて複数の凹部１３…を形成している。凹部１３は環状となっている。上記上顎部１５の下面に孔あき座金１６を配設し、孔あき座金１６、通孔１４に固定具１７としてのビスを挿通してクッション１２をケース５に固定している
このような構成によれば、クッション１２の外側面に開口させて形成した複数の凹部１３…によって、ケース５の振動を吸収して減衰させることができ、浴室天井６の振動を抑えて浴室内騒音を低減することができる。また、クッション１２の上顎部１５の下面に孔あき座金１６を配設し、孔あき座金１６、通孔１４に挿通した固定具１７をケース５に固定することで、クッション１２をケース５に取り付けやすくなるとともに振動吸収効率を高めることができる。
【００１２】
図７は他の実施の形態を示し、上記屈曲自在部１１の出力管２４に上記第２の消音部１０を傾けることなく接続していて、この第２の消音部１０はケース５の側壁に取り付けることなく出力管２４に接続することで、保持するようにしている。
【００１３】
図８は、上記クッション１２の他の実施の形態を示し、クッション１２の下面に中心から放射状に凸条２７を複数設けて浴室天井６との接触面積を小さくしてあり、浴室天井６への振動の伝播を抑制して浴室天井６の振動を防止して浴室内騒音を低減するようにしている。
【００１４】
図９は、上記クッション１２の更に他の実施の形態を示し、クッション１２の下部に下方が尖った尖頭部１８を形成して、下部の尖頭部１８によって、浴室天井６への振動の伝播を抑制して、浴室内騒音を低減するようにしている。
【図面の簡単な説明】
【００１５】
【図１】本発明の浴室用酸素供給装置の実施の一形態を示す概略平面図である。
【図２】同上の設置状態を示す説明図である。
【図３】同上の概略側面図である。
【図４】同上の屈曲自在部を示す概略断面図である。
【図５】同上の第２の消音部を示し、（ａ）は正面図、（ｂ）は断面図、（ｃ）は側面図である。
【図６】同上の部分拡大断面図である。
【図７】同上の他の実施の形態を示し、平面から見た説明図である。
【図８】同上のクッションの他の実施の形態を示す底面図である。
【図９】同上のクッションの更に他の実施の形態を示す側面図である。
【図１０】従来例を示す概略斜視図である。
【符号の説明】
【００１６】
１  真空ポンプ
２  ファン
３  制御部
４  気体分離複合膜
５  ケース
６  浴室天井
７  気体出力部
８  装置吹き出し口
９  第１の消音部
【図１】
2008237600.tif 000003
【図２】
2008237600.tif 000004
【図３】
2008237600.tif 000005
【図４】
2008237600.tif 000006
【図５】
2008237600.tif 000007
【図６】
2008237600.tif 000008
【図７】
2008237600.tif 000009
【図８】
2008237600.tif 000010
【図９】
2008237600.tif 000011
【図１０】
2008237600.tif 000012